(57)【要約】【課題】低コストで製造可能であり、かつ、効率よく回転体を回転させて発電することが可能な潮汐発電装置を提供する。【解決手段】潮汐により発生する潮流を利用して発電する潮汐発電装置１であって、回転体１０と、回転体１０が内部に設置されたハウジング２０と、回転体１０が回転することで発電する発電機と、ハウジング２０の外部から内部へ潮流により水Ｗ１が流入する主流入部Ｉ１と、ハウジング２０の内部から外部へ水Ｗ２が流出する主流出部Ｄ１と、ハウジング２０の外部から内部へ前記潮流により水Ｗ１が流入する側流入部Ｉ２と、ハウジング２０の内部から外部へ水Ｗ２が流出する側流出部Ｄ２とを備える潮汐発電装置１。【選択図】図４
2020084863.tif 000002
【特許請求の範囲】
【請求項１】
潮汐により発生する潮流を利用して発電する潮汐発電装置であって、
回転体と、
前記回転体が内部に設置されたハウジングと、
前記回転体が回転することで発電する発電機と、
前記回転体の軸方向に直交する面における直線方向において、前記ハウジングの外部から内部へ前記潮流により水が流入する主流入部と、
前記直線方向において、前記ハウジングの内部から外部へ水が流出する主流出部とを備え、
前記面における前記直線方向に対して傾斜する方向において、前記ハウジングの外部から内部へ前記潮流により水が流入する側流入部と、
前記面における前記直線方向に対して傾斜する方向において、前記ハウジングの内部から外部へ水が流出する側流出部とをさらに備えることを特徴とする潮汐発電装置。
【請求項２】
前記回転体は、
回転軸と、
前記回転軸の外周面から前記回転軸の径方向外側に突出する複数の回転羽根と、
前記回転羽根に供給された水が前記径方向外側に流れるのを防止する流出防止部とをさらに備え、
前記流出防止部は、前記回転軸の回転方向両側に延びている流出防止板であることを特徴とする請求項１に記載の潮汐発電装置。
【請求項３】
前記主流入部は、前記面において前記直線方向に延びる第一直線を基準として互いに対称に形成された一組の主流入板の間における領域であり、
前記主流出部は、前記面において前記第一直線を基準として互いに対称に形成された一組の主流出板の間における領域であり、
前記一組の主流入板と前記一組の主流出板とは、前記面において前記第一直線に対して直交する第二直線を基準として互いに対称に形成されている潮汐発電装置であって、
前記側流入部を前記一組の主流入板の一方と側流入板との間に形成し、又は／かつ、前記側流出部を前記一組の主流出板の一方と側流出板との間に形成することを特徴とする請求項１又は２に記載の潮汐発電装置。
【請求項４】
前記主流入部又は／及び主流出部には、
前記面において前記第一直線に対する直交方向で互いに離間し、かつ、前記面において前記第一直線と平行に配置された一組の流れ調整板が配置され、
あるいは、
前記第一直線が延びる方向における中心から当該中心の両側に向かうにつれ、前記面における前記直交方向の距離が徐々に小さくなる流れ調整柱が配置されることを特徴とする請求項３に記載の潮汐発電装置。
【発明の詳細な説明】
【技術分野】
【０００１】
本発明は、潮汐により発生する潮流（水流）を利用して発電する潮汐発電装置に関するものである。
【背景技術】
【０００２】
潮汐発電装置とは、潮汐（海面が周期的に昇降する現象）により発生する潮流（水流）を利用して発電する発電装置をいう。潮汐発電装置は、回転体と、回転体が内部に設置されたハウジングと、回転体が回転することで発電する発電機とを備え、ハウジングの内部を流れる水により回転体を回転させて発電機で発電を行うものである。
【０００３】
例えば、特許文献１には、水流タービン（回転体）と、水流タービンが内部に設置された海水出入管（ハウジング）と、水流タービンが回転することで発電する水流発電機（発電機）とを備え、海と水槽との間を流れる水が海水出入管内部を通過することで、水流タービンが回転して水流発電機において発電する潮汐発電装置が記載されている。
【０００４】
ところで、潮汐発電装置では、潮汐によりハウジングの内部における水の流れ方向が変化する。例えば、上記特許文献１に記載の潮汐発電装置において、海水出入管の内部における水の流れが、海から水槽へ向かう流れと水槽から海へ向かう流れとで変化する。このように、従来の潮汐発電装置には、ハウジングの内部における水の流れ方向が変化するため、回転体を効率よく回転させることができないという問題がある。
【０００５】
すなわち、一般的な水流発電装置（例えば、海流発電装置）においては、ハウジングの内部における水の流れ方向が変化しないため、ハウジングの内部に設置された回転体が一方向に回転し続ける。このため、水流は、いったん回転体を回転始動させれば回転加速にのみ使用される。しかし、潮汐発電装置においては、ハウジングの内部における水の流れ方向が変化するため、ハウジングの内部に設置された回転体は一方向及び逆方向に交互に回転する。このため、潮汐発電装置においては、水流が回転体を回転始動させる（回転体を新たな方向へ回転させる）のに繰り返し使用され、回転体を効率よく回転させることができない。
【０００６】
一方で、潮汐発電装置において回転体を効率よく回転させるため、潮汐発電装置のハウジング内部に水流を加速させる部材を設置することが考えられる。しかし、このような部材をハウジングの内部に設置すると、潮汐発電装置の製造に高いコストを要することになる。
【先行技術文献】
【特許文献】
【０００７】
【特許文献１】特開２０１８−１００６５７号公報
【発明の概要】
【発明が解決しようとする課題】
【０００８】
そこで、本発明は、上述した問題に鑑みてなされたものであり、低コストで製造可能であり、かつ、効率よく回転体を回転させて発電することが可能な潮汐発電装置を提供することを目的とする。
【課題を解決するための手段】
【０００９】
上記課題を解決するため、本発明は、潮汐により発生する潮流を利用して発電する潮汐発電装置であって、回転体と、前記回転体が内部に設置されたハウジングと、前記回転体が回転することで発電する発電機と、前記回転体の軸方向に直交する面における直線方向において、前記ハウジングの外部から内部へ前記潮流により水が流入する主流入部と、前記直線方向において、前記ハウジングの内部から外部へ水が流出する主流出部とを備え、前記面における前記直線方向に対して傾斜する方向において、前記ハウジングの外部から内部へ前記潮流により水が流入する側流入部と、前記面における前記直線方向に対して傾斜する方向において、前記ハウジングの内部から外部へ水が流出する側流出部とをさらに備えることを特徴とする。
【００１０】
本発明によれば、上述した側流入部を備えることで、主流入部における水の流入方向とは別方向から水がハウジング内部に流入することになる。これにより、互いに流れ方向が異なる水流（主流入部から流入する水の流れ、及び、側流入部から流入する水の流れ）がハウジング内部で合流し、この合流によりハウジング内部で水が様々な方向に分散されて回転体に力を伝達する。このため、側流入部を形成するだけの簡易な方法により、回転体において水流による力が伝達される箇所の範囲を広げることができる。それゆえ、低コストで製造可能であり、かつ、効率よく回転体を回転させて発電することが可能な発電装置とすることができる。
【００１１】
その上で、上述した側流出部を備えることで、潮汐によりハウジング内部において水の流れ方向が変化した場合であっても、上述した側流出部を上述した側流入部として機能させることができる。これにより、低コストで製造可能であり、かつ、効率よく回転体を回転させて発電することが可能な潮汐発電装置とすることができる。なお、潮汐によりハウジング内部において水の流れ方向が変化した場合、上述した主流出部を上述した主流入部として機能させることができる。
【００１２】
また、上記潮汐発電装置において、前記回転体は、回転軸と、前記回転軸の外周面から前記回転軸の径方向外側に突出する複数の回転羽根と、前記回転羽根に供給された水が前記径方向外側に流れるのを防止する流出防止部とをさらに備え、前記流出防止部は、前記回転軸の回転方向両側に延びている流出防止板であってもよい。
【００１３】
これにより、回転羽根に供給された水が回転体の径方向外側に流出するのを流出防止部により防止することで、この水の流れにより生じる水流が回転羽根に対して回転体の回転方向へ効率よく力を伝達させる。このため、さらに効率よく回転体を回転させて発電することが可能な発電装置とすることができる。さらに、流出防止部は回転羽根から回転体の回転方向両側に延びている流出防止板であることで、主流入部及び側流入部から水をハウジング内部に流入する場合（回転体を一方向に回転させる場合）であっても、主流出部及び側流出部から水をハウジング内部に流入する場合（回転体を逆方向に回転させる場合）であっても、上述した径方向外側への水の流出を防止して効率よく回転体を回転させることができる。よって、さらに効率よく回転体を回転させて発電することが可能な潮汐発電装置とすることができる。
【００１４】
さらに、前記主流入部は、前記面において前記直線方向に延びる第一直線を基準として互いに対称に形成された一組の主流入板の間における領域であり、前記主流出部は、前記面において前記第一直線を基準として互いに対称に形成された一組の主流出板の間における領域であり、前記一組の主流入板と前記一組の主流出板とは、前記面において前記第一直線に対して直交する第二直線を基準として互いに対称に形成されている潮汐発電装置であって、前記側流入部を前記一組の主流入板の一方と側流入板との間に形成し、又は／かつ、前記側流出部を前記一組の主流出板の一方と側流出板との間に形成することができる。
【００１５】
これにより、主流入部を構成する主流入板の一方により側流入部を形成し、又は／かつ、主流出部を構成する主流出板の一方により側流出部を形成することで、側流入部又は／及び側流出部を形成するための部材コストを低く抑えることができ、さらには、主流入部及び側流入部を互いに近接させることができる（あるいは／さらには、主流出部及び側流出部を互いに近接させることができる）。これにより、低コストで製造可能で、かつ、主流入部から水が流入することで生じる水流と側流入部から水が流入することで生じる水流と（あるいは／さらには、主流出部から水が流入することで生じる水流と側流出部から水が流入することで生じる水流と）をより確実に合流させることが可能な潮汐発電装置とすることができる。このため、低コストで製造可能で、かつ、水をより広範囲に分散させて回転体に供給可能な潮汐発電装置とすることができる。
【００１６】
また、上記潮汐発電装置において、前記主流入部又は／及び主流出部には、前記面において前記第一直線に対する直交方向で互いに離間し、かつ、前記面において前記第一直線と平行に配置された一組の流れ調整板が配置され、あるいは、前記第一直線が延びる方向における中心から当該中心の両側に向かうにつれ、前記面における前記直交方向の距離が徐々に小さくなる流れ調整柱が配置されてもよい。
【００１７】
これにより、流れ調整板あるいは流れ調整柱を配置するだけの簡易な方法により、ハウジング内部における水の流れを調整することができる。このため、水をより広範囲に分散させて回転体に供給できるハウジングを、低コストかつ容易に製造することができる。
【発明の効果】
【００１８】
以上により、本発明によれば、低コストで製造可能であり、かつ、効率よく回転体を回転させて発電することが可能な潮汐発電装置を提供することができる。
【図面の簡単な説明】
【００１９】
【図１】本発明に係る潮汐発電装置の第一実施形態を示す斜視図である。
【図２】図１に示す潮汐発電装置を示す正面図である。
【図３】図１に示す潮汐発電装置に備えられる回転体を示す図である。
【図４】図２に示す潮汐発電装置のＡ−Ａ線断面を示す図である。
【図５】本発明に係る潮汐発電装置の第二実施形態を示す断面図である。
【発明を実施するための形態】
【００２０】
次に、本発明を実施するための形態について、図面を参照しながら詳細に説明する。
【００２１】
まず、本発明に係る潮汐発電装置の第一実施形態における構成について説明する。図１は、本発明に係る潮汐発電装置の第一実施形態を示す斜視図である。また、図２は、図１に示す潮汐発電装置１を示す正面図である。図１に示す潮汐発電装置１は、潮汐により発生する潮流を利用して発電する発電装置である。図１に示すように、潮汐発電装置１は、回転体１０（１０Ａ、１０Ｂ）と、回転体１０（１０Ａ、１０Ｂ）が内部に設置されたハウジング２０と、回転体１０（１０Ａ、１０Ｂ）が回転することで発電する発電機（不図示）と、ハウジング２０の外部から内部に向けて水Ｗ１が流入する空間である主流入部Ｉ１及び側流入部Ｉ２と、ハウジング２０の内部から外部に向けて水Ｗ２が流出する空間である主流出部Ｄ１及び側流出部Ｄ２とを備える。
【００２２】
図３は、図１に示す潮汐発電装置１が備える回転体１０（１０Ａ、１０Ｂ）を示す図である。図３に示すように、回転体１０は、回転軸１１と、回転軸１１の外周面ｓから回転軸１１の径方向外側に突出する複数の回転羽根１２とを備える。それぞれの回転羽根１２は、回転軸１１の軸方向に延びており、回転軸１１の外周方向に沿って所定の間隔を設けて形成される。また、回転体１０は、回転羽根１２に供給された水が上記径方向外側に流れるのを防止する流出防止板１３（流出防止部）をさらに備えている。流出防止板１３は、回転羽根１２における上記径方向外側から回転軸１１の回転方向両側に延びている。
【００２３】
図４は、図１に示す潮汐発電装置のＡ−Ａ線断面を示す図である。図４に示すように、主流入部Ｉ１において、第一直線ｄ１（仮想線）が延びる直線方向に水Ｗ１が流入して本流Ｍ１が生じる。また、主流出部Ｄ１において、上記直線方向に水Ｗ２が流出して本流Ｍ２が生じる。なお、第一直線ｄ１は、回転体１０（１０Ａ、１０Ｂ）の軸方向に直交する面（図４に示すＸＹ平面）において、潮汐発電装置１のＸ方向中央を通過し、かつ、Ｙ方向に延びる直線である。また、側流入部Ｉ２において、ＸＹ平面における第一直線ｄ１に対して傾斜する方向に水Ｗ１が流入して側流Ｂ１が生じる。さらに、側流出部Ｄ２において、ＸＹ平面における第一直線ｄ１に対して傾斜する方向に水Ｗ２が流出して側流Ｂ２が生じる。
【００２４】
また、図４に示すように、主流入部Ｉ１は、ＸＹ平面において第一直線ｄ１を基準として互いに対称に形成された一組の主流入板２１（２１Ａ、２１Ｂ）の間における領域である。さらに、主流出部Ｄ１は、ＸＹ平面において第一直線ｄ１を基準として互いに対称に形成された一組の主流出板２２（２２Ａ、２２Ｂ）の間における領域である。また、一組の主流入板２１（２１Ａ、２１Ｂ）と一組の主流出板２２（２２Ａ、２２Ｂ）とは、ＸＹ平面において第二直線ｄ２を基準として互いに対称に形成されている。さらに、側流入板２３Ａ（２３Ｂ）と側流出板２４Ａ（２４Ｂ）とは、ＸＹ平面において第二直線ｄ２を基準として互いに対称に形成されている。なお、第二直線ｄ２とは、ＸＹ平面において、潮汐発電装置１のＹ方向中央を通過し、かつ、第一直線ｄ１に対して直交する直線である。
【００２５】
さらに、図４に示すように、側流入部Ｉ２は、一組の主流入板２１（２１Ａ、２１Ｂ）の一方２１Ａと側流入板２３Ａとの間における位置と、一組の主流入板２１（２１Ａ、２１Ｂ）の他方２１Ｂと側流入板２３Ｂとの間における位置とにそれぞれ形成されている。また、側流出部Ｄ２は、一組の主流出板２２（２２Ａ、２２Ｂ）の一方２２Ａと側流出板２４Ａとの間における位置と、一組の主流出板２２（２２Ａ、２２Ｂ）の他方２２Ｂと側流出板２４Ｂとの間における位置とにそれぞれ形成されている。
【００２６】
また、図４に示すように、主流入部Ｉ１には、一組の流れ調整板２５（２５Ａ、２５Ｂ）が配置されている。さらに、一組の流れ調整板２５（２５Ａ、２５Ｂ）は、ＸＹ平面において第一直線ｄ１に対する直交方向で互いに離間し、かつ、ＸＹ平面において第一直線ｄ１と平行に配置された板状部材である。なお、主流出部Ｉ２においても、一組の流れ調整板２５（２５Ａ、２５Ｂ）と同様の構成を有する一組の流れ調整板２６（２６Ａ、２６Ｂ）が配置されている。
【００２７】
さらに、図４に示すように、潮汐発電装置１は、ＸＹ平面において回転体１０（１０Ａ、１０Ｂ）の外周に沿って円弧状に形成された逆流防止板２７（２７Ａ、２７Ｂ）と、平板状に形成された外板２８（２８Ａ、２８Ｂ）とを備える。逆流防止板２７Ａ（２７Ｂ）は、その一端が側流入板２３Ａ（２３Ｂ）の先端に接続され、かつ、その他端が側流出板２４Ａ（２４Ｂ）の先端に接続される。さらに、外板２８Ａ（２８Ｂ）は、その一端が側流入板２３Ａ（２３Ｂ）の先端に接続され、その他端が側流出板２４Ａ（２４Ｂ）の先端に接続される。
【００２８】
また、主流入部Ｉ１と主流出部Ｄ１との間の空間は、複数の回転体１０Ａ、１０Ｂが設置される回転体設置部Ｒとされている。回転体設置部Ｒにおいて、回転体１０Ａ、１０Ｂは、第二直線ｄ２が延びる方向において互いに離間するように設置されている。
【００２９】
さらに、図４に示すように、潮汐発電装置１には、潮汐発電装置１のバラストタンクとして機能するバラストタンク部Ｔ１、Ｔ２が形成されている。バラストタンク部Ｔ１は、側流入板２３Ａ、側流出板２４Ａ、逆流防止板２７Ａ及び外板２８Ａにより囲まれた空間に空気が封入されて形成される。また、バラストタンク部Ｔ２は、側流入板２３Ｂ、側流出板２４Ｂ、逆流防止板２７Ｂ及び外板２８Ｂにより囲まれた空間に空気が封入されて形成される。
【００３０】
次に、本発明に係る潮汐発電装置の第一実施形態における動作について説明する。まず、図１に示す潮汐発電装置１を海中に設置する。次に、潮汐により海面が上昇することにより潮流が発生し、この潮流により水Ｗ１が潮汐発電装置１に供給される。図４に示すように、潮汐発電装置１に供給される水Ｗ１は、主流入部Ｉ１からハウジング２０（図１も参照）内に流入することで本流Ｍ１を生じさせ、側流入部Ｉ２からハウジング２０内に流入することで側流Ｂ１を生じさせる。
【００３１】
ここで、本流Ｍ１は、その一部が一組の流れ調整板２５（２５Ａ、２５Ｂ）の間を通過し、その残部が流れ調整板２５Ａ（流れ調整板２５Ｂ）と主流入板２１Ａ（２１Ｂ）との間を通過する。そして、本流Ｍ１は、ハウジング２０の内部において側流Ｂ１と合流する。この合流により、ハウジング２０の内部において、水が分散して回転体１０（１０Ａ、１０Ｂ）に供給される。
【００３２】
また、図３に示すように、回転体１０に供給された水は、回転体１０が備える回転羽根１２に対し水流となって力を伝達することで、回転羽根１２を回転軸１１の周方向（回転体１０の回転方向）に沿って回転させる。これにより、回転羽根１２と共に回転軸１１も回転し、回転軸１１に取り付けられた発電機で発電がなされる。
【００３３】
さらに、図４に示すように、回転体１０（１０Ａ、１０Ｂ）を回転させた水は、その一部が主流出部Ｄ１からハウジング２０の外部へ流出して本流Ｍ２を生じさせ、その別の一部が側流出部Ｄ２からハウジング２０の外部へ流出して側流Ｂ２を生じさせ、その残部が回転体１０（１０Ａ、１０Ｂ）を回転させながら逆流防止板２７（２７Ａ、２７Ｂ）に沿ってハウジング２０の内部を循環する。
【００３４】
さらに、潮汐により海面が下降することで、図４において点線矢印で示すように、潮汐発電装置１において、水Ｗ２が主流出部Ｄ１及び側流出部Ｄ２からハウジング２０の内部に流入し、水Ｗ１が主流入部Ｉ１及び側流入部Ｉ２からハウジング２０の外部に流出する。
【００３５】
以上のように、上記第一実施形態によれば、図４に示すように、上述した側流入部Ｉ２を備えることで、主流入部Ｉ１における水Ｗ１の流入方向とは別方向から水Ｗ１がハウジング２０内部に流入することになる。これにより、互いに流れ方向が異なる水流（主流入部Ｉ１から水Ｗ１が流入して生じる本流Ｍ１、及び、側流入部Ｉ２から水Ｗ１が流入して生じる側流Ｂ１）がハウジング２０内部で合流し、この合流によりハウジング２０内部で水が様々な方向に分散されて回転体１０（１０Ａ、１０Ｂ）に力を伝達する。このため、側流入部Ｉ２を形成するだけの簡易な方法により、回転体１０（１０Ａ、１０Ｂ）において水流による力が伝達される箇所の範囲を広げることができる。それゆえ、低コストで製造可能であり、かつ、効率よく回転体１０（１０Ａ、１０Ｂ）を回転させて発電することが可能な発電装置とすることができる。
【００３６】
その上で、図４に示すように、上述した側流出部Ｄ２を備えることで、潮汐によりハウジング２０内部において水の流れ方向が変化した場合であっても、上述した側流出部Ｄ２を上述した側流入部Ｉ２として機能させることができる。これにより、低コストで製造可能であり、かつ、効率よく回転体１０（１０Ａ、１０Ｂ）を回転させて発電することが可能な潮汐発電装置１とすることができる。なお、潮汐によりハウジング２０内部において水の流れ方向が変化した場合、上述した主流出部Ｄ１を上述した主流入部Ｉ１として機能させることができる。
【００３７】
また、上記第一実施形態によれば、図３に示すように、回転羽根１２に供給された水が回転体１０の径方向外側に流出するのを流出防止板１３により防止することで、この水の流れにより生じる水流が回転羽根１２に対して回転体１０の回転方向へ効率よく力を伝達させる。このため、さらに効率よく回転体１０を回転させて発電することが可能な発電装置とすることができる。さらに、図４に示すように、流出防止板１３は回転羽根１２から回転体１０の回転方向両側に延びていることで、図４に示すように、主流入部Ｉ１及び側流入部Ｉ２から水Ｗ１をハウジング２０内部に流入する場合（回転体１０Ａ、１０Ｂを一方向に回転させる場合）であっても、主流出部Ｄ１及び側流出部Ｄ２から水Ｗ２をハウジング２０内部に流入する場合（回転体１０Ａ、１０Ｂを逆方向に回転させる場合）であっても、上述した径方向外側への水の流出を防止して効率よく回転体１０（１０Ａ、１０Ｂ）を回転させることができる。よって、さらに効率よく回転体１０（１０Ａ、１０Ｂ）を回転させて発電することが可能な潮汐発電装置とすることができる。
【００３８】
さらに、上記第一実施形態によれば、図４に示すように、主流入部Ｉ１を構成する主流入板２１（２１Ａ、２１Ｂ）の一方２１Ａ（２１Ｂ）により側流入部Ｉ２を形成し、又は／かつ、主流出部Ｄ１を構成する主流出板２２（２２Ａ、２２Ｂ）の一方２２Ａ（２２Ｂ）により側流出部Ｄ２を形成することで、側流入部Ｉ２又は／及び側流出部Ｄ２を形成するための部材コストを低く抑えることができ、さらには、主流入部Ｉ１及び側流入部Ｉ２を互いに近接させることができる（あるいは／さらには、主流出部Ｄ１及び側流出部Ｄ２を互いに近接させることができる）。これにより、低コストで製造可能で、かつ、主流入部Ｉ１から水Ｗ１が流入することで生じる本流Ｍ１と側流入部Ｉ２から水Ｗ１が流入することで生じる側流Ｂ１と（あるいは／さらには、主流出部Ｄ１から水Ｗ２が流入することで生じる本流Ｍ２と側流出部Ｄ２から水Ｗ２が流入することで生じる側流Ｂ２と）をより確実に合流させることが可能な潮汐発電装置とすることができる。このため、低コストで製造可能で、かつ、水をより広範囲に分散させて回転体１０（１０Ａ、１０Ｂ）に供給可能な潮汐発電装置とすることができる。
【００３９】
また、上記第一実施形態によれば、図４に示すように、流れ調整板２５（２５Ａ、２５Ｂ）、２６（２６Ａ、２６Ｂ）を配置するだけの簡易な方法により、ハウジング２０内部における水の流れを調整することができる。このため、水をより広範囲に分散させて回転体１０（１０Ａ、１０Ｂ）に供給できるハウジング２０を、低コストかつ容易に製造することができる。
【００４０】
なお、上記第一実施形態は、上述したように、潮汐により発生した潮流により水Ｗ１が主流入部Ｉ１及び側流入部Ｉ２から流入する場合と、この潮流により水Ｗ２が主流出部Ｄ１及び側流出部Ｄ２から流入する場合との両方において発電を行うものである。しかし、本発明に係る潮汐発電装置は、海流により海水が主流入部Ｉ１及び側流入部Ｉ２からのみ流入する場合であっても発電を行うことができる。また、本発明に係る潮汐発電装置を、海以外の水域（川や湖）に設置することもできる。
【００４１】
また、上記第一実施形態においては、図４に示すように、側流入部Ｉ２をＸ方向両側にそれぞれ形成したが、いずれか一方のみに形成してもよい。また、同様に、側流出部Ｄ２もＸ方向一方側にのみ形成してもよい。
【００４２】
次に、本発明に係る潮汐発電装置の第二実施形態について説明する。図５は、本発明に係る潮汐発電装置の第二実施形態を示す断面図である。また、図５は、図４に示す断面に対応する断面を示しており、図４に示す潮汐発電装置１と同様の箇所については同一符号が付されている。
【００４３】
図５に示すように、潮汐発電装置１０１は、図４に示す一組の流れ調整板２５（２５Ａ、２５Ｂ）、一組の調整板２６（２６Ａ、２６Ｂ）に代えて流れ調整柱１０２、１０３を備えている。流れ調整柱１０２は、主流入部Ｉ１に配置されている。また、流れ調整柱１０３は、主流出部Ｄ１に配置されている。さらに、流れ調整柱１０２は、第一直線ｄ１が延びる方向における中心（流れ調整柱１０２における中心）から当該中心の両側に向かうにつれ、ＸＹ平面において第一直線ｄ１に対する直交方向の距離が徐々に小さくなる。また、流れ調整柱１０３も同様である。
【００４４】
また、図５に示すように、潮汐発電装置１０１には、潮汐発電装置１０１のバラストタンクとして機能するバラストタンク部Ｔ３、Ｔ４が形成されている。バラストタンク部Ｔ３は、流れ調整柱１０２の内部空間に空気が封入されることで形成される。さらに、バラストタンク部Ｔ４は、流れ調整柱１０３の内部空間に空気が封入されることで形成される。
【００４５】
なお、図５に示す潮汐発電装置１０１は、上述した点以外の点については図４に示す潮汐発電装置１と同様の構成を有する。
【符号の説明】
【００４６】
１  潮汐発電装置
１０（１０Ａ、１０Ｂ）  回転体
１１  回転軸
１２  回転羽根
１３  流出防止板
２０  ハウジング
２１（２１Ａ、２１Ｂ）  主流入板（主流出板）
２２（２２Ａ、２２Ｂ）  主流出板（主流入板）
２３（２３Ａ、２３Ｂ）  側流入板（側流出板）
２４（２４Ａ、２４Ｂ）  側流出板（側流入板）
２５（２５Ａ、２５Ｂ）  流れ調整板
２６（２６Ａ、２６Ｂ）  流れ調整板
２７（２７Ａ、２７Ｂ）  逆流防止板
２８（２８Ａ、２８Ｂ）  外板
１０１  潮汐発電装置
１０２  流れ調整柱
１０３  流れ調整柱
Ｂ１、Ｂ２  側流
Ｄ１  主流出部（主流入部）
Ｄ２  側流出部（側流入部）
ｄ１  第一直線
ｄ２  第二直線
Ｉ１  主流入部（主流出部）
Ｉ２  側流入部（側流出部）
Ｍ１、Ｍ２  本流
Ｒ  回転体設置部
ｓ  外周面
Ｔ１〜Ｔ４  バラストタンク部
Ｗ１、Ｗ２  水
【図１】
2020084863.tif 000003
【図２】
2020084863.tif 000004
【図３】
2020084863.tif 000005
【図４】
2020084863.tif 000006
【図５】
2020084863.tif 000007
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
潮汐により発生する潮流を利用して発電する潮汐発電装置であって、
回転体と、
前記回転体が内部に設置されたハウジングと、
前記回転体が回転することで発電する発電機とを備え、
前記回転体は、回転軸と、当該回転軸の外周面から前記回転軸の径方向外側に突出する複数の回転羽根とを備えており、
前記ハウジングは、一組の主流入板と、一組の主流出板と、側流入板と、側流出板と、逆流防止板とを有しており、
前記ハウジングの内部には、主流入部と、主流出部と、側流入部と、側流出部とが形成されており、
前記主流入部は、前記回転体の軸方向に直交する面における直線方向において、前記ハウジングの外部から内部へ前記潮流により水が流入する領域であり、かつ、前記面において前記直線方向に延びる第一直線を基準として互いに対称に形成された前記一組の主流入板の間における領域であり、
前記主流出部は、前記直線方向において、前記ハウジングの内部から外部へ水が流出する領域であり、かつ、前記面において前記第一直線を基準として互いに対称に形成された前記一組の主流出板の間における領域であり、
前記一組の主流入板と前記一組の主流出板とは、前記面において前記第一直線に対して直交する第二直線を基準として互いに対称に形成されており、
前記側流入部は、前記面における前記直線方向に対して傾斜する方向において、前記ハウジングの外部から内部へ前記潮流により水が流入する領域であり、かつ、前記一組の主流入板の一方と前記側流入板との間に形成されており、
前記側流出部は、前記面における前記直線方向に対して傾斜する方向において、前記ハウジングの内部から外部へ水が流出する領域であり、かつ、前記一組の主流出板の一方と前記側流出板との間に形成された領域であり、
前記側流入板と前記側流出板とは、前記面において前記第二直線を基準として互いに対称に形成されており、
前記逆流防止板は、前記面において前記回転軸の周方向に沿って円弧状に形成されており、
前記逆流防止板の一端は前記側流入板に固定され、かつ、前記逆流防止板の他端は前記側流出板に固定されており、
前記回転羽根は、前記回転軸と前記逆流防止板との間においては、前記主流出部側から前記主流入部側に向かって回転することを特徴とする潮汐発電装置。
【請求項２】
前記ハウジングは、平板状に形成された外板を有しており、
前記外板の一端は前記側流入板に固定され、かつ、前記外板の他端は前記側流出板に固定されていることを特徴とする請求項１に記載の潮汐発電装置。
【請求項３】
前記側流入板、前記側流出板、前記逆流防止板及び前記外板は、バラストタンクを構成することを特徴とする請求項１又は２に記載の潮汐発電装置。
【請求項４】
前記主流入部又は／及び主流出部には、
前記面において前記第一直線に対する直交方向で互いに離間し、かつ、前記面において前記第一直線と平行に配置された一組の流れ調整板が配置され、
あるいは、
前記第一直線が延びる方向における中心から当該中心の両側に向かうにつれ、前記面における前記直交方向の距離が徐々に小さくなる流れ調整柱が配置されることを特徴とする請求項１乃至３のいずれか１項に記載の潮汐発電装置。